(57)【要約】      （修正有）【課題】雌部材側の固定位置が調整可能であると共に、操作つまみが自動的に回動するランドセル等カバンの蓋止め具を提供する。【解決手段】蓋止め具5は、雌部材側の固定位置を少なくとも３段階に調整可能とする手段と、操作つまみ63を自動的に回動させる手段を有する。（Ａ）雌部材側の固定位置を少なくとも３段階に調整可能とする手段においては、係合突起と切り込みが選択的に係合可能である。（Ｂ）操作つまみを自動的に回動させる手段は、操作つまみ63に取り付けられた回動板8と、回動板に回動力を付勢するバネと、（ｂ）回動板の回動範囲を限定するストッパと、雌部材と接触することにより、回動板に回動を起こさせる手段とからなる。【選択図】図２
2011062338.tif 000002
【特許請求の範囲】
【請求項１】
カバン本体（２）と、垂れ蓋（３）又は延長部（３１）のそれぞれに設けられた雌雄連結部材（６，７）と、これら雌雄連結部材（６，７）を連結するときに使用する操作つまみからなる蓋止め具（５）であって、
前記蓋止め具（５）は、雌部材側の固定位置を少なくとも３段階に調整可能とする手段と、前記操作つまみ（６３）を自動的に回動させる手段を有し、
（Ａ）前記雌部材側の固定位置を少なくとも３段階に調整可能とする手段においては、
（ａ）前記雌部材（７）は、板状で、中央に長手方向に伸びる中央スリット（７３）があり、左右側部の延長部外端にそれぞれ切り込み（７６）が複数対設けられており、
（ｂ）前記雄部材（６）は、係合突起（６４３）を有する係合部材（６４）と、この係合突起（６４３）を上方に付勢する弾性体（６４１）を有し、
（ｃ）前記係合突起（６４３）と前記切り込み（７６）が選択的に係合可能であり、
（Ｂ）前記操作つまみ（６３）を自動的に回動させる手段は、
（ａ）前記操作つまみ（６３）に取り付けられた回動板（８）と、
（ｂ）前記回動板（８）に回動力を付勢するバネ（８３）と、
（ｂ）前記回動板（８）の回動範囲を限定するストッパ（６１１，６１２）と、
（ｃ）前記雌部材（７）と接触することにより、前記回動板（８）に回動を起こさせる手段とからなる
ことを特徴とする蓋止め具（５）
【請求項２】
前記切り込み（７６）の数が３対〜６対である請求項１記載の蓋止め具（５）。  
【請求項３】
前記雌部材（７）と接触することにより、前記回動板（８）に回動を起こさせる雄部材（６）の手段が、バネ（８６２）により、上方向に付勢された、鍔（８６１）付きピン（８６）であって、
前記鍔（８６１）は、雌部材（７）と接触しないときには前記回動板（８）と当接してその回動を阻止しているが、雌部材（７）と接触するときには、前記鍔（８６１）付きピンが押し下げられて前記回動板（８）との当接が外れ、前記回動板（８）の回動を許容する請求項１又は２記載の蓋止め具（５）。
【請求項４】
雌雄部材の仮固定のために、永久磁石（９）が設けられている請求項１ないし３の何れかに記載の蓋止め具（５）。
【請求項５】
請求項１ないし４の何れかに記載の蓋止め具（５）を有することを特徴とするランドセル。
【発明の詳細な説明】
【技術分野】
【０００１】
本発明は、カバンの蓋止め具に関する。例えば、ランドセルの本体下部と垂れ蓋下部の双方に取り付けられている雌雄連結具からなる蓋止め具に関する。以下の説明では、ランドセルの蓋止め具を例にして説明する。
【背景技術】
【０００２】
周知のように、ランドセルは、ほぼ四角柱状の中空本体と、その本体の上部及び外部を覆う垂れ蓋と、垂れ蓋の延長部と、着用者の背中に固定するためのストラップからなる。本体と垂れ蓋の延長部とが蓋止め具により固定されることにより、本体の内容物が安定的に収納される。
【０００３】
本体に内容物が多いときと少ないときとでは、垂れ蓋の緊張度が変化し、蓋止め具の位置が微妙にずれてくる。内容物が少ないときに、それを無視して雌雄連結具を接続すると、垂れ蓋に緊張がなくなり、着用者の歩行と共に、内容物が本体内部でガタガタ動くことがある。現在のランドセルは、そのような事態に備えて、雌部材側の固定位置を２段階に調整可能としているのが普通である（下記特許文献１〜４参照）。
【特許文献１】特開２００１−１４９１２７
【特許文献２】特開２００１−２５２１２１
【特許文献３】特開２００４−３５７７６６
【特許文献４】実公平２−３０５９５号
【発明の開示】
【発明が解決しようとする課題】
【０００４】
上記従来技術では、雌部材側の固定位置は２段階に調整する。しかし、２段階はあまりにも大雑把であり、もっときめ細かい調整が望まれるときがある。本発明では、雌部材側の固定位置が少なくとも３段階に調整可能な機構を有するランドセル等カバンの蓋止め具を提供することを目的とする。
【０００５】
さらにランドセル本体と垂れ蓋の延長部とを蓋止め具により固定するときに、操作つまみを自動的に回動させる機構を有するランドセル等カバンの蓋止め具を提供することを目的とする。
【０００６】
これら２つの機構は単独でも有効であるが、これらを組み合わせることにより、非常に操作性に優れたランドセルが得られる。
【課題を解決するための手段】
【０００７】
請求項１に係る本発明は、
カバン本体（２）と、垂れ蓋（３）又は延長部（３１）のそれぞれに設けられた雌雄連結部材（６，７）と、これら雌雄連結部材（６，７）を連結するときに使用する操作つまみからなる蓋止め具（５）であって、
前記蓋止め具（５）は、雌部材側の固定位置を少なくとも３段階に調整可能とする手段と、前記操作つまみ（６３）を自動的に回動させる手段を有し、
（Ａ）前記雌部材側の固定位置を少なくとも３段階に調整可能とする手段は、（ａ）前記雌部材（７）は、板状で、中央に長手方向に伸びる中央スリット（７３）があり、左右側部の延長部外端にそれぞれ切り込み（７６）が複数対設けられており、
（ｂ）前記雄部材（６）は、係合突起（６４３）を有する係合部材（６４）と、この係合突起（６４３）を上方に付勢する弾性体（６４１）を有し、
（ｃ）前記係合突起（６４３）と前記切り込み（７６）が選択的に係合可能であり、
（Ｂ）前記操作つまみ（６３）を自動的に回動させる手段は、
（ａ）前記操作つまみ（６３）に取り付けられた回動板（８）と、
（ｂ）前記回動板（８）に回動力を付勢するバネ（８３）と、
（ｂ）前記回動板（８）の回動範囲を限定するストッパ（６１１，６１２）と、
（ｃ）前記雌部材（７）と接触することにより、前記回動板（８）に回動を起こさせる手段とからなる
ことを特徴とする蓋止め具（５）である。
【０００８】
前記切り込み（７６）の数は、３対〜１０対、好ましくは、３〜５対である（請求項２）。
【０００９】
前記雌部材（７）と接触することにより、前記回動板（８）に回動を起こさせる手段は、バネ（８６２）により、上方向に付勢された、鍔（８６１）付きピン（８６）であって、前記鍔（８６１）は、雌部材（７）と接触しないときには前記回動板（８）と当接してその回動を阻止しているが、雌部材（７）と接触するときには、前記鍔（８６１）付きピンが押し下げられて前記回動板（８）と当接が外れ、前記回動板（８）の回動を許容するものであることが好ましい（請求項３）。
【発明の効果】
【００１０】
本発明請求項１によれば、前記蓋止め具は、雌部材側の固定位置を調整可能とする手段と、前記操作つまみを自動的に回動させる手段を有する。すなわち、係合突起と切り込みが選択的に係合可能であるので、雌部材側の固定位置が調整可能となる。さらに、操作つまみは雌部材を雄部材に近づけだけで、回動板がバネの付勢力により自動的に回動する。
【図面の簡単な説明】
【００１１】
【図１】本発明実施例の蓋止め具を装着したランドセルの底面の斜視図である。
【図２】本発明実施例の蓋止め具の拡大斜視図である。
【図３】本発明実施例の蓋止め具の表面側分解斜視図である。
【図４】本発明実施例の蓋止め具雄部材の裏面側分解斜視図である。
【図５】（ａ）−（ｃ）は、本発明実施例の垂れ蓋延長部の位置調節を説明するための断面図である。
【図６】本発明実施例の、操作つまみ自動回動機構における非ロック時の底面図である（裏蓋を外している）。
【図７】本発明実施例の、操作つまみ自動回動機構におけるロック時の底面図である（裏蓋を外している）。
【図８】（ａ）は、図６のＡ−Ａ断面図である。（ｂ）は、図６のＢ−Ｂ断面図である。
【発明を実施するための最良の形態】
【００１２】
以下、添付の図面に基づき、本発明の実施例を説明する。
【実施例１】
【００１３】
図１は、本発明の蓋止め具５を装着したランドセル１を底面からみた斜視図である。ランドセル１は、ほぼ四角柱状の中空本体２と、その本体２の上部及び外部を覆う垂れ蓋３と、垂れ蓋の延長部３１と、着用者の背中に固定するためのストラップ４からなる。本体２と垂れ蓋の延長部３１とが蓋止め具５により固定されることにより、本体２の内容物が安定的に収納される。
【００１４】
蓋止め具５は、雄部材６側がランドセル本体２の底部に固着され、雌部材７側が垂れ蓋延長部３１の先端に取り付けられている。
【００１５】
図２は蓋止め具５の拡大斜視図であり、図３は分解斜視図である。
【００１６】
図２，３に示すように、雌部材７は、板状であり、先端に指掛け部７１、後端に垂れ蓋延長部３１との連結部７２が設けられている。雌部材７の中央には、中央スリット７３がある。雌部材の左右長手方向側部に、半円筒状の延長部７５が形成されており、この延長部の遊端側に波状の切り込み７６が設けられている。この実施例では、波の数は５である。
【００１７】
雄部材６を裏側から見た斜視図は図４に表されている。この図に示すように、雄部材６の各部品は、雄部材６の裏側に窪んで形成された収容室６１の中に収容され、裏蓋６２により閉鎖される。図２，３に示すように、収容室６１の表側には、雌部材７との係合用の操作つまみ６３が突出している。
【００１８】
操作つまみ６３は、後記するように、９０度の自動回動が可能であり、雌部材７と平行に位置したときは、雌部材の中央スリット７３から抜け出ることができるが、垂直に位置したとき（雌雄部材の係合時）には、雌部材の中央スリット７３から抜け出ることができない。
【００１９】
収容室６１の中には、操雌部材側の固定位置を少なくとも３段階（好ましくは３〜６段階）に調整可能とする機構と、操作つまみ６３を自動的に回動させる機構が内蔵されている。
【００２０】
まず、雌部材側の固定位置を少なくとも３段階に調整可能とする機構について述べる。
【００２１】
雄側の係合部材６４は、収容室の左右２個所に設けられている。それぞれ、金属又は合成樹脂片であり、底部にコイルバネ６４１との係合溝６４２を有し、上部に前記波状の切り込み７６と係合する係合突起６4３を有する。係合突起６4３は、断面が垂直面と斜面からなる三角波形状である。
【００２２】
図３に示すように、２個の係合部材６４は、前記コイルバネ６４１の付勢力を受けて、雄部材６の表側の矩形開口６１５（図４）から係合突起６４３を突出させるが、係合突起左右端部６４４のために上方に抜け出すことはない。また、係合突起６４３は、コイルバネ６４１による上方向の付勢力を常時受けているので、図５に示すように、前記波状の切り込み７６と係合可能である。
【００２３】
波状切り込み７６の断面は、垂直面と斜面からなる三角波形状なので、係合突起の斜面には抵抗力はないが、垂直面には抵抗力がある。斜面の方向には雌部材７を移動させることができるが、垂直面の方向には移動させることができない。図５の矢印方向に、波状の切り込み７６を指で引き下げると、図５（ｂ）続いて図５（ｃ）のように、係合位置が選択的に移動する。係合突起と波状の切り込み７６が係合するたびに、金属同士が接触してカチカチという金属音を発する。
【００２４】
しかし、逆の方向には引っ張るだけでは移動しない。それをしようと思えば、いったん操作つまみ６３を雌部材７の中央スリット７３から抜け出させて、最初から調節し直す必要がある。
【００２５】
次に、操作つまみ６３を自動的に回動させる機構について述べる。
【００２６】
前記のとおり、操作つまみ６３は雄部材の表側の段部６６の上で回動自在に突出する。操作つまみ６３の脚部６３１は雄ネジ部となって、図８に示すように、回動板８を介して、裏蓋６２に達しており、後端が雌ネジ８１を有するリング８２で保持されている。
【００２７】
図４に示すように、操作つまみ６３の脚部６３１には、両端８３１が開脚したコイルバネ８３が取り付けられており、そのバネ力により、回動板８は回動力が与えられている。回動板８の表面には、扇状の窓８４と小突起８５が設けられている。図６に示すように、前記コイルバネ８３の開脚両端部８３１は、収容室の壁（第１ストッパ）６１１と小突起８５に当接している。
【００２８】
図４に示すように、収容室６１の底部から扇状突起６１６が扇状の窓８４の中に起立しており、これが、回動板の回動するときのガイドとなる。
【００２９】
回動板８は回動可能であるが、通常は、鍔付きピン８６の鍔８６１に邪魔されて回動ができない。図４及び図８に示すように、鍔付きピン８６も、後端が裏蓋６２で止められ、コイルバネ８６２により、常時、上方向に付勢されていて、雄部材６の表側から突出している。ただし、抜け止めリング８６３により抜け出してしまわないようにされている。
【００３０】
図６及び図８（ａ）の位置では、操作つまみ６３が雌部材７のスリット７３に入れられて、雌部材７と雄部材６が接触を開始した状態である。この状態からさらに雌部材７を雄部材６に近づけると、図８（ｂ）のように、雌部材７が鍔付きピン８６を押圧する。すると鍔付きピン８６の鍔８６１が押し下げられて、回動板８が鍔８６１から離れて、隙間８６４ができる。回動板８は、そこで自由回動が可能となる（図７及び図８（ｂ））。
【００３１】
したがって、雌部材７を雄部材６に近づけると、回動板８がバネの付勢力により自動回動し、操作つまみ６３も回動する。回動板８は、回動して収容室６１の反対側の壁（第２ストッパ）６１２に当接して止まる。回動範囲は、９０度に設定されている。すなわち、図３において、雌部材７のスリットと平行方向から垂直方向に自動的に操作つまみ６３が移動して、雌雄係合が完成する。係合を解くのは人の指の力による。
【００３２】
なお、収容室６１の中には一対の丸形磁石９が丸形窪み６１３に収容されている。磁石９は、垂れ蓋３を近づけただけで、雌雄連結部材５同士が仮接着するようにするためのものである。この磁石による仮接着により、雌部材７が鍔付きピン８６を押圧することになる。
【００３３】
上記説明では、説明の便宜上、雌部材側の固定位置を少なくとも３段階に調整可能とする機構と、操作つまみ６３を自動的に回動させる機構をその順序で説明した。しかし、実際は、操作つまみ６３が自動的に回動して雌雄部材が係合した後で、雌部材側の固定位置を少なくとも３段階に調整することが行われる。したがって、雌雄部材の係合の程度は、雌部材側の固定位置調節を可能とする程度の遊びが必要である。
【符号の説明】
【００３４】
１     ランドセル
２     ランドセル本体
３     垂れ蓋
３１   蓋延長部
４     ストラップ
５     蓋止め具
６     雄部材
６１   収容室
６１１ 壁
６１２ 反対側壁
６１５ 矩形開口
６１６ 扇状突起
６２   裏蓋
６３   操作つまみ
６３１ 脚部
６４   係合部材
６４１ コイルバネ
６４２ 係合溝
６４３ 係合突起
６４４ 係合突起左右端部
７     雌部材
７１   指掛け部
７２   連結部
７３   中央スリット
７５   延長部
７６   波状切り込み
８     回動板
８１   雌ネジ
８２   リング
８３   コイルバネ
８３１ 両端
８３１ 開脚両端部
８４   窓
８５   小突起
８６   鍔付きピン
８６１ 鍔
８６２ コイルバネ
８６３ リング
８６４ 隙間
９     丸形磁石
【図１】
2011062338.tif 000003
【図２】
2011062338.tif 000004
【図３】
2011062338.tif 000005
【図４】
2011062338.tif 000006
【図５】
2011062338.tif 000007
【図６】
2011062338.tif 000008
【図７】
2011062338.tif 000009
【図８】
2011062338.tif 000010